(57)【要約】      （修正有）【課題】直感的かつ簡便な操作でコンテンツを変換する。【解決手段】通信端末１は、コンテンツを示すコンテンツサムネイルを表示するコンテンツ一覧表示部１１と、コンテンツサムネイルに対するドラッグ操作を検知するドラッグ処理検知部１２と、ドラッグ操作検知に応じて、コンテンツを適用可能なアプリケーションを示すアプリケーションアイコンを一覧表示するアプリケーションアイコン表示部１６と、ドラッグ操作が行われているコンテンツサムネイルに対する、一覧表示されているアプリケーションアイコンの上でのドロップ操作を検知するドロップ処理検知部１７と、ドロップ操作検知に応じて、ドロップ操作が行われたアプリケーションアイコンに関連付けられるアプリケーションの適用条件に合致するようにコンテンツの変換処理を行うコンテンツ変換処理部１８と、を備える。【選択図】図１
2010257104.tif 000002
【特許請求の範囲】
【請求項１】
コンテンツを示すコンテンツオブジェクトを表示手段に表示するオブジェクト表示手段と、
前記オブジェクト表示手段により前記表示手段に表示された前記コンテンツオブジェクトに対するドラッグ操作を検知するドラッグ操作検知手段と、
前記ドラッグ検知手段によるドラッグ操作検知に応じて、前記コンテンツを適用可能なアプリケーションを示すアプリケーションオブジェクトを前記表示手段に一覧表示するアプリケーション表示手段と、
前記ドラッグ操作が行われているコンテンツオブジェクトに対する、前記アプリケーション表示手段により一覧表示されているアプリケーションオブジェクトの上でのドロップ操作を検知するドロップ操作検知手段と、
前記ドロップ操作検知手段によるドロップ操作検知に応じて、前記ドロップ操作が行われたアプリケーションオブジェクトに関連付けられるアプリケーションの適用条件に合致するように前記コンテンツの変換処理を行うコンテンツ変換処理手段と、
を備えることを特徴とする通信端末。
【請求項２】
コンテンツと、該コンテンツを適用可能なアプリケーションとを関連付けて保持するコンテンツ処理テーブルを備え、
前記アプリケーション表示手段は、前記ドラッグ操作が行われているコンテンツオブジェクトに関連付けられるコンテンツに基づいて、前記コンテンツ処理テーブルを参照して前記コンテンツを適用可能なアプリケーションを選択することを特徴とする、請求項１に記載の通信端末。
【請求項３】
アプリケーションと、該アプリケーションの適合条件とを関連付けて保持するアプリケーション処理テーブルを備え、
前記コンテンツ変換処理手段は、前記ドロップ操作が行われたアプリケーションオブジェクトに関連付けられるアプリケーションに基づいて、前記アプリケーション処理テーブルを参照して前記アプリケーションの適合条件を取得することを特徴とする、請求項１又は２に記載の通信端末。
【請求項４】
前記コンテンツ変換処理手段により変換処理されたコンテンツを適用した状態で、前記ドロップ操作が行われたアプリケーションオブジェクトに関連付けられるアプリケーションを起動するアプリケーション起動手段をさらに備えることを特徴とする、請求項１〜３のいずれか１項に記載の通信端末。
【請求項５】
コンテンツを示すコンテンツオブジェクトを表示手段に表示するオブジェクト表示ステップと、
前記オブジェクト表示ステップにおいて前記表示手段に表示された前記コンテンツオブジェクトに対するドラッグ操作を検知するドラッグ操作検知ステップと、
前記ドラッグ検知ステップにおけるドラッグ操作検知に応じて、前記コンテンツを適用可能なアプリケーションを示すアプリケーションオブジェクトを前記表示手段に一覧表示するアプリケーション表示ステップと、
前記ドラッグ操作が行われているコンテンツオブジェクトに対する、前記アプリケーション表示手段により一覧表示されているアプリケーションオブジェクトの上でのドロップ操作を検知するドロップ操作検知ステップと、
前記ドロップ操作検知ステップにおけるドロップ操作検知に応じて、前記ドロップ操作が行われたアプリケーションオブジェクトに関連付けられるアプリケーションの適用条件に合致するように前記コンテンツの変換処理を行うコンテンツ変換処理ステップと、
を備えることを特徴とするコンテンツ変換方法。
【発明の詳細な説明】
【技術分野】
【０００１】
本発明は、通信端末及びコンテンツ変換方法に関する。
【背景技術】
【０００２】
画像、動画、音源などのコンテンツをアプリケーションに適したフォーマットに変換する技術として、例えば特許文献１には、動画変換メニュー操作により動画データのサイズをＥメール添付用に変換することが記載されている。
【先行技術文献】
【特許文献】
【０００３】
【特許文献１】特開２００５−４４１８７号公報
【発明の概要】
【発明が解決しようとする課題】
【０００４】
しかしながら、特許文献１に記載される変換メニュー操作によるコンテンツの変換処理では、操作手順が煩雑となり操作を習得する手間がかかる状況や、アプリケーションごとに設定されているファイルサイズや解像度などの制約が直感的にユーザに分かりにくい状況が考えられ、ユーザにとって使いにくいという問題があった。
【０００５】
本発明は、上記課題を解決するためになされたものであり、直感的かつ簡便な操作でコンテンツを変換することができる通信端末及びコンテンツ変換方法を提供することを目的とする。
【課題を解決するための手段】
【０００６】
上記課題を解決するため、本発明に係る通信端末は、コンテンツを示すコンテンツオブジェクトを表示手段に表示するオブジェクト表示手段と、オブジェクト表示手段により表示手段に表示された前記コンテンツオブジェクトに対するドラッグ操作を検知するドラッグ操作検知手段と、ドラッグ検知手段によるドラッグ操作検知に応じて、コンテンツを適用可能なアプリケーションを示すアプリケーションオブジェクトを表示手段に一覧表示するアプリケーション表示手段と、ドラッグ操作が行われているコンテンツオブジェクトに対する、アプリケーション表示手段により一覧表示されているアプリケーションオブジェクトの上でのドロップ操作を検知するドロップ操作検知手段と、ドロップ操作検知手段によるドロップ操作検知に応じて、ドロップ操作が行われたアプリケーションオブジェクトに関連付けられるアプリケーションの適用条件に合致するようにコンテンツの変換処理を行うコンテンツ変換処理手段と、を備えることを特徴とする。
【０００７】
同様に、上記課題を解決するため、本発明に係るコンテンツ変換方法は、コンテンツを示すコンテンツオブジェクトを表示手段に表示するオブジェクト表示ステップと、オブジェクト表示ステップにおいて表示手段に表示されたコンテンツオブジェクトに対するドラッグ操作を検知するドラッグ操作検知ステップと、ドラッグ検知ステップにおけるドラッグ操作検知に応じて、コンテンツを適用可能なアプリケーションを示すアプリケーションオブジェクトを表示手段に一覧表示するアプリケーション表示ステップと、ドラッグ操作が行われているコンテンツオブジェクトに対する、アプリケーション表示手段により一覧表示されているアプリケーションオブジェクトの上でのドロップ操作を検知するドロップ操作検知ステップと、ドロップ操作検知ステップにおけるドロップ操作検知に応じて、ドロップ操作が行われたアプリケーションオブジェクトに関連付けられるアプリケーションの適用条件に合致するようにコンテンツの変換処理を行うコンテンツ変換処理ステップと、を備えることを特徴とする。
【０００８】
このような通信端末及びコンテンツ変換方法によれば、表示手段に表示されたコンテンツオブジェクトのドラッグ操作に応じて、このコンテンツを適用可能なアプリケーションを示すアプリケーションオブジェクトが表示手段に一覧表示される。そして、ドラッグ操作が行われているコンテンツオブジェクトが、一覧表示されているアプリケーションオブジェクトの上でドロップ操作されることにより、このドロップ操作されたアプリケーションの適用条件に合致するようにドラッグ操作されたコンテンツの変換処理が行われる。このような構成により、ドラッグ操作及びドロップ操作という直感的で習熟を要しない簡便な操作のみを用いて、特別に操作手順を意識することなしに、コンテンツを変換することが可能となる。
【０００９】
また、本発明の通信端末は、コンテンツと、該コンテンツを適用可能なアプリケーションとを関連付けて保持するコンテンツ処理テーブルを備え、アプリケーション表示手段は、ドラッグ操作が行われているコンテンツオブジェクトに関連付けられるコンテンツに基づいて、コンテンツ処理テーブルを参照してコンテンツを適用可能なアプリケーションを選択することが好適である。これにより、直感的かつ簡便な操作によりドラッグ操作を行うだけで、選択したコンテンツを適用可能なアプリケーションを識別するのが容易となり、コンテンツ変換処理の利便性が向上する。
【００１０】
また、本発明の通信端末は、アプリケーションと、該アプリケーションの適合条件とを関連付けて保持するアプリケーション処理テーブルを備え、コンテンツ変換処理手段は、ドロップ操作が行われたアプリケーションオブジェクトに関連付けられるアプリケーションに基づいて、アプリケーション処理テーブルを参照してアプリケーションの適合条件を取得することが好適である。これにより、アプリケーションごとに個別に設定されるコンテンツの適用条件を予めユーザが認識していなくても、自動的に取得された適合条件に合わせてコンテンツの変換処理を行うことが可能となり、コンテンツ変換処理の利便性が向上する。
【００１１】
また、本発明の通信端末は、コンテンツ変換処理手段により変換処理されたコンテンツを適用した状態で、ドロップ操作が行われたアプリケーションオブジェクトに関連付けられるアプリケーションを起動するアプリケーション起動手段をさらに備えることが好適である。これにより、変換処理されたコンテンツを再度選択する操作や、改めてアプリケーションを起動する操作が不要となり、ユーザにとって通信端末の操作性が向上する。
【発明の効果】
【００１２】
本発明に係る通信端末及びコンテンツ変換方法によれば、直感的かつ簡便な操作でコンテンツを変換することができる。
【図面の簡単な説明】
【００１３】
【図１】本発明の一実施形態に係る通信端末の機能ブロック図である。
【図２】通信端末のハードウェア構成図である。
【図３】コンテンツに含まれる情報を示す図である。
【図４】コンテンツ処理テーブルの構成の一例を示す図である。
【図５】アプリケーション処理テーブルの構成の一例を示す図である。
【図６】本実施形態の通信端末において実行される処理を示すフローチャートである。
【図７】通信端末において実行される処理における表示画面の一例を示す図である。
【図８】通信端末において実行される処理における表示画面の一例を示す図である。
【図９】通信端末において実行される処理における表示画面の一例を示す図である。
【図１０】通信端末において実行される処理における表示画面の一例を示す図である。
【発明を実施するための形態】
【００１４】
以下、図面を参照しながら本発明の実施形態を詳細に説明する。なお、図面の説明において同一又は同等の要素には同一の符号を付し、重複する説明を省略する。
【００１５】
図１は、本発明の一実施形態に係る通信端末１の機能ブロック図である。図１に示すように、通信端末１は、コンテンツ一覧表示部（オブジェクト表示手段）１１、ドラッグ処理検知部（ドラッグ操作検知手段）１２、コンテンツ処理テーブル１３、アプリケーション処理テーブル１４、アプリケーション抽出部（アプリケーション表示手段）１５、アプリケーションアイコン表示部（アプリケーション表示手段）１６、ドロップ処理検知部（ドロップ操作検知手段）１７、コンテンツ変換処理部（コンテンツ変換処理手段）１８、及びアプリケーション起動部（アプリケーション起動手段）１９を備えている。
【００１６】
通信端末１は、例えば携帯電話やＰＤＡ（Personal Data Assistance：個人情報端末）などであり、端末の内部または外部に保持されるコンテンツを、端末内のアプリケーションごとに設定される適用条件を満たすように変換することができる。また、本実施形態では、「コンテンツ」とは、具体的には画像データや動画データであり、「アプリケーションごとに設定される適用条件」とは、これらの画像や動画の最大サイズ及び最大解像度である。
【００１７】
図２は、通信端末１のハードウェア構成図である。通信端末１は、物理的には、ＣＰＵ（Central Processing Unit）１１１、主記憶装置であるＲＡＭ（Random Access Memory）１１２及びＲＯＭ（Read Only Memory）１１３、入力デバイスである入力キー等の操作部１１４、ディスプレイ（表示手段）１１５、無線通信部１１６などを有する端末装置として構成されている。図１に示す通信端末１の各機能は、図３に示すＣＰＵ１１１、ＲＡＭ１１２等のハードウェア上に所定のコンピュータソフトウェアを読み込ませることにより、ＣＰＵ１１１の制御のもとで操作部１１４、ディスプレイ１１５、無線通信部１１６を動作させるとともに、ＲＡＭ１１２やＲＯＭ１１３におけるデータの読み出し及び書き込みを行うことで実現される。
【００１８】
次に、図１に示す通信端末１の各機能について説明する。
【００１９】
コンテンツ一覧表示部１１は、コンテンツ（画像または動画）を取得し、これらのコンテンツをサムネイルやアイコン等ドラッグ操作可能な形態（コンテンツオブジェクト）で配置したコンテンツ一覧画面（例えば図７）を作成し、ディスプレイ１１５に表示する。コンテンツの取得元は、通信端末１の本体に保存されているデータ、通信端末１の外部のサーバから取得したデータや、通信端末１に付属されるカメラ（図示せず）で撮影してまだ本体には保存していないデータが挙げられる。
【００２０】
図３は、コンテンツに含まれる情報を示す図である。図３に示すように、コンテンツは、「拡張子」、コンテンツの種別を示す「コンテンツ本体」、データ複製可否を示す「ＤＲＭ（Digital Rights Management）」、「サムネイル画像」、「解像度」、「ファイルサイズ」の情報が含まれている。そして、本実施形態では、このコンテンツを適用するアプリケーションの適用条件に応じて、これらの情報のうち、「解像度」および「ファイルサイズ」が適宜変更される。
【００２１】
ドラッグ処理検知部１２は、コンテンツ一覧画面に表示されているコンテンツのサムネイルの中から、任意の１コンテンツがドラッグ操作されていることを検知する。ここで、「ドラッグ操作」とは、例えば、通信端末１のディスプレイ１１５がタッチパネルの場合には、任意の１コンテンツを指で押下したまま移動させる操作のことであり、また、ポインティングデバイスを用いる場合には、操作部１１４を介して任意の１コンテンツの上にカーソルを合わせ、決定キーを押下したままカーソルを移動させるような操作のことである。ドラッグ処理検知部１２は、ドラッグ操作を検知すると、このドラッグ操作が行われているコンテンツの拡張子及びＤＲＭの情報をアプリケーション抽出部１５に送信する。
【００２２】
コンテンツ処理テーブル１３は、図４に示すように、コンテンツの拡張子に対応した「コンテンツ種別」と、このコンテンツを適用可能な１又は複数のアプリケーションの種別を示す「アプリケーション種別」と関連付けて保持している。コンテンツは、「アプリケーション種別」が「メール」の場合にはメールに添付され、「待ち受け画像」の場合には待ち受け画面の背景画像として設定される。また、「サーバに保存」の場合には外部の特定のサーバへアップロードして保存され、「本体に保存」の場合には通信端末１の本体に内蔵されているメモリ領域に保存される。また、「アニメーション付メール」の場合には、ＨＴＭＬメールの背景用アニメーションとして設定される。
【００２３】
アプリケーション処理テーブル１４は、アプリケーション種別ごとに設定される制約情報などの情報を保持している。図５は、アプリケーション処理テーブル１４の構成の一例を示す図である。図５に示すように、アプリケーション処理テーブル１４は、コンテンツ種別単位で個別のテーブルを備えている。本実施形態では、コンテンツとして画像データと動画データを対象としているため、画像用テーブル１４ａと、動画用テーブル１４ｂとを備えている。画像用テーブル１４ａと、動画用テーブル１４ｂは、共に、「アプリケーション種別」、このアプリケーションを示す「アイコン」、アプリケーション種別ごとに設定される「最大解像度」及び「最大ファイルサイズ」、「ＤＲＭ有（コンテンツにＤＲＭ情報が有る場合の表示可否）」を関連付けて１つのレコードとして記録している。
【００２４】
図５に示すように、アプリケーション処理テーブル１４は、画像用及び動画用に個別のテーブル１４ａ，１４ｂを備えているため、同一のアプリケーション種別でもコンテンツ種別が画像か動画かに応じて最大解像度や最大ファイルサイズの適用条件を変更することが可能である。例えば、アプリケーション種別が「待ち受け画像」の場合、最大ファイルサイズは、画像用テーブル１４ａでは５ＭＢなのに対して、動画用テーブル１４ｂでは１０ＭＢである。また、アプリケーション種別が「サーバに保存」の場合、最大解像度は、画像用テーブル１４ａではＸＧＡなのに対して、動画用テーブル１４ｂではＱＶＧＡである。
【００２５】
アプリケーション抽出部１５は、ドラッグ操作されたコンテンツに対応するアプリケーションを抽出する。具体的には、アプリケーション抽出部１５は、ドラッグ処理検知部１２から受信したコンテンツの拡張子情報に基づいて、コンテンツ処理テーブル１３からこの拡張子に関連付けられているコンテンツ種別とアプリケーション種別を取得する。さらに、コンテンツ処理テーブル１３から取得したコンテンツ種別に基づいて、アプリケーション処理テーブル１４の中で利用するテーブル（画像用テーブル１４ａ又は動画用テーブル１４ｂ）を選択し、コンテンツ処理テーブル１３から取得したアプリケーション種別に基づいて、選択されたテーブルからアプリケーション種別に対応したアイコンを取得する。なお、アプリケーション抽出部１５は、アプリケーション処理テーブル１４からアイコンを取得する際に、ドラッグ処理検知部１２から受信したコンテンツのＤＲＭ情報が「有」の場合には、アプリケーション処理テーブル１４で「ＤＲＭ有」欄が“可”に設定されている（すなわちデータ複製不可でも利用可能な）アプリケーションのみを抽出する。
【００２６】
アプリケーションアイコン表示部１６は、アプリケーション抽出部１５で抽出されたアプリケーションのアイコン（アプリケーションオブジェクト）を配置したアイコン一覧画面を作成し、コンテンツ一覧画面の上に表示する（例えば図９）。
【００２７】
ドロップ処理検知部１７は、ドラッグ処理検知部１２で検知されたドラッグ操作されているコンテンツが、アプリケーションアイコン表示部１６で表示したアイコンの任意の一つのアイコンへドロップ操作されたことを検知する。ここで、「ドロップ操作」とは、例えば、通信端末１のディスプレイ１１５がタッチパネルの場合には、任意の１コンテンツを指で押下したまま任意の１つのアプリケーションアイコンの上へ移動させてから指を離す操作のことであり、また、ポインティングデバイスを用いる場合には、任意の１コンテンツの上にカーソルを合わせ、操作部１１４の決定キーを押下したままカーソルを任意の１つのアプリケーションアイコンの上へ移動させてから決定キーを離す操作のことである。
ドロップ処理検知部１７は、ドロップ操作を検知すると、このドラッグ操作が行われていたコンテンツのコンテンツ種別と、ドラッグ操作されていたコンテンツがドロップされたアプリケーションのアプリケーション種別とをコンテンツ変換処理部１８に送信する。
【００２８】
コンテンツ変換処理部１８は、ドロップ処理検知部１７で検知されたアプリケーションの種別に応じて設定される適用条件を満たすように、コンテンツを変換する。具体的には、コンテンツ変換処理部１８は、ドロップ処理検知部１７から受信したコンテンツ種別に基づいてアプリケーション処理テーブル１４で利用するテーブル（画像用テーブル１４ａ又は動画用テーブル１４ｂ）を選択し、ドロップ処理検知部１７から取得したアプリケーション種別に基づいて、選択されたテーブルからアプリケーション種別に対応した最大解像度及び最大ファイルサイズの情報を取得する。そして、ドロップ操作したコンテンツの解像度およびファイルサイズが、アプリケーション処理テーブル１４から取得した最大解像度及び最大ファイルサイズより大きい場合には、コンテンツの解像度及びファイルサイズが最大解像度及び最大ファイルサイズ以下になるようにコンテンツの変換処理を行う。コンテンツ変換処理部１８は、変換処理を行ったコンテンツをアプリケーション起動部１９に送信する。
【００２９】
アプリケーション起動部１９は、コンテンツ変換処理部１８で変換処理されたコンテンツを選択した状態で、アプリケーションを起動させ操作画面に遷移させる。例えば、アプリケーション種別が「メール」の場合、コンテンツが添付された状態でメール作成画面が起動し、「待ち受け画面」の場合、コンテンツを待ち受け画面の背景に設定した状態で待ち受け画面が表示される。また、「サーバに保存する」の場合、コンテンツをサーバにアップロード後、アップロードしたサイトのＵＲＬをブラウザで表示し、「本体に保存する」の場合、コンテンツを本体メモリに保存した後に、コンテンツを記憶したデータ領域の内容を示すデータリスト画面を表示する。
【００３０】
次に、図６に示すフローチャートを用いて、本実施形態の通信端末１において実行される処理を説明すると共に、本実施形態に係るコンテンツ変換方法について説明する。図６は、本実施形態の通信端末１において実行される処理を示すフローチャートである。
【００３１】
まず、コンテンツ一覧表示部１１により、コンテンツ（画像または動画）が取得され、これらのコンテンツをサムネイルやアイコン等ドラッグ操作可能な形態で配置したコンテンツ一覧画面が作成され、ディスプレイ１１５に表示される（Ｓ１０１：オブジェクト表示ステップ）。例えば図７に示すように、コンテンツ一覧画面２１には、コンテンツ一覧表示部１１により取得された画像データや動画データのアイコン又はサムネイル２２が一覧表示される。
【００３２】
次に、ドラッグ処理検知部１２により、図８に示すように、コンテンツ一覧画面２１に表示されているコンテンツサムネイル２２の中から、任意の１コンテンツ２２ａがドラッグ操作されていることが検知される（Ｓ１０２：ドラッグ操作検知ステップ）。
【００３３】
さらに、アプリケーション抽出部１５により、ドラッグ操作されたコンテンツを処理可能なアプリケーションが抽出される（Ｓ１０３）。具体的には、アプリケーション抽出部１５は、ドラッグ処理検知部１２から受信したコンテンツの拡張子情報に基づいて、コンテンツ処理テーブル１３からこの拡張子に関連付けられているコンテンツ種別とアプリケーション種別を取得する。さらに、コンテンツ処理テーブル１３から取得したコンテンツ種別に基づいて、アプリケーション処理テーブル１４の中で利用するテーブル（画像用テーブル１４ａ又は動画用テーブル１４ｂ）を選択し、コンテンツ処理テーブル１３から取得したアプリケーション種別に基づいて、選択されたテーブルからアプリケーション種別に対応したアイコンを取得する。なお、アプリケーション抽出部１５は、アプリケーション処理テーブル１４からアイコンを取得する際に、ドラッグ処理検知部１２から受信したコンテンツのＤＲＭ情報が「有」の場合には、アプリケーション処理テーブル１４で「ＤＲＭ有」欄が“可”に設定されている（すなわちデータ複製不可でも利用可能な）アプリケーションのみを抽出する。
【００３４】
次に、アプリケーションアイコン表示部１６により、ステップＳ１０３において抽出されたアプリケーションのアイコンを配置したアイコン一覧画面が作成され、例えば図９に示すように、作成されたアイコン一覧画面２３がコンテンツ一覧画面２１の上に表示される（Ｓ１０４：アプリケーション表示ステップ）。
【００３５】
さらに、ドロップ処理検知部１７により、例えば図１０に示すように、ステップＳ１０２においてドラッグ操作されていると検知されたコンテンツ２２ａが、ステップＳ１０４において表示されたアイコン一覧画面２３の任意の一つのアイコン２３ａへドロップ操作されたことが検知される（Ｓ１０５：ドロップ操作検知ステップ）。
【００３６】
次に、コンテンツ変換処理部１８により、ステップＳ１０５において検知されたアプリケーションの種別に応じて設定される適用条件を満たすように、コンテンツが変換される（Ｓ１０６：コンテンツ変換処理ステップ）。具体的には、コンテンツ変換処理部１８は、ドロップ処理検知部１７から受信したコンテンツ種別に基づいてアプリケーション処理テーブル１４で利用するテーブル（画像用テーブル１４ａ又は動画用テーブル１４ｂ）を選択し、ドロップ処理検知部１７から取得したアプリケーション種別に基づいて、選択されたテーブルからアプリケーション種別に対応した最大解像度及び最大ファイルサイズの情報を取得する。そして、ドロップ操作したコンテンツの解像度およびファイルサイズが、アプリケーション処理テーブル１４から取得した最大解像度及び最大ファイルサイズより大きい場合には、コンテンツの解像度及びファイルサイズが最大解像度及び最大ファイルサイズ以下になるようにコンテンツの変換処理を行う。
【００３７】
そして、アプリケーション起動部１９により、ステップＳ１０６において変換処理されたコンテンツを選択した状態で、アプリケーションが起動され操作画面に遷移する（Ｓ１０７）。
【００３８】
以上に説明したように、本実施形態に係る通信端末１及びコンテンツ変換方法によれば、ディスプレイ１１５に表示されたコンテンツアイコン２２ａのドラッグ操作に応じて、このコンテンツ２２ａを適用可能なアプリケーションを示すアプリケーションアイコン２３が表示手段に一覧表示される。そして、ドラッグ操作が行われているコンテンツアイコン２２ａが、一覧表示されているアプリケーションアイコンの１つ２３ａの上でドロップ操作されることにより、このドロップ操作されたアプリケーション２３ａの適用条件に合致するようにドラッグ操作されたコンテンツ２２ａの変換処理が行われる。このような構成により、ドラッグ操作及びドロップ操作という直感的で習熟を要しない簡便な操作のみを用いて、特別に操作手順を意識することなしに、コンテンツを変換することが可能となる。
【００３９】
また、アプリケーション抽出部１５が、ドラッグ操作が行われているコンテンツサムネイル２２ａに関連付けられるコンテンツに基づいて、コンテンツ処理テーブル１３を参照してコンテンツを適用可能なアプリケーションを選択するため、直感的かつ簡便な操作によりドラッグ操作を行うだけで、選択したコンテンツを適用可能なアプリケーションを識別するのが容易となり、コンテンツ変換処理の利便性が向上する。
【００４０】
また、コンテンツ変換処理手段が、ドロップ操作が行われたアプリケーションアイコン２３ａに関連付けられるアプリケーションに基づいて、アプリケーション処理テーブル１４を参照してアプリケーションの適合条件を取得するため、アプリケーションごとに個別に設定されるコンテンツの適用条件を予めユーザが認識していなくても、自動的に取得された適合条件に合わせてコンテンツの変換処理を行うことが可能となり、コンテンツ変換処理の利便性が向上する。
【００４１】
また、アプリケーション起動部１９が、コンテンツ変換処理部１８により変換処理されたコンテンツを適用した状態で、ドロップ操作が行われたアプリケーションアイコン２３ａに関連付けられるアプリケーションを起動するため、変換処理されたコンテンツを再度選択する操作や、改めてアプリケーションを起動する操作が不要となり、ユーザにとって通信端末の操作性が向上する。
【００４２】
以上、本発明に係る通信端末１及びコンテンツ変換方法について好適な実施形態を挙げて説明したが、本発明は上記実施形態に限られるものではない。例えば、上記実施形態では、コンテンツの具体例として、画像データや動画データを例示したが、例えば音楽データなど変換処理が可能な他のデータを適用可能である。
【符号の説明】
【００４３】
１…通信端末１１…コンテンツ一覧表示部（オブジェクト表示手段）、１２…ドラッグ処理検知部（ドラッグ操作検知手段）、１３…コンテンツ処理テーブル、１４…アプリケーション処理テーブル、１５…アプリケーション抽出部（アプリケーション表示手段）、１６…アプリケーションアイコン表示部（アプリケーション表示手段）、１７…ドロップ処理検知部（ドロップ操作検知手段）、１８…コンテンツ変換処理部（コンテンツ変換処理手段）、１９…アプリケーション起動部（アプリケーション起動手段）、２２…コンテンツサムネイル（コンテンツオブジェクト）、２３…アプリケーションアイコン（アプリケーションオブジェクト）、１１５…ディスプレイ（表示手段）。
【図１】
2010257104.tif 000003
【図２】
2010257104.tif 000004
【図３】
2010257104.tif 000005
【図４】
2010257104.tif 000006
【図５】
2010257104.tif 000007
【図６】
2010257104.tif 000008
【図７】
2010257104.tif 000009
【図８】
2010257104.tif 000010
【図９】
2010257104.tif 000011
【図１０】
2010257104.tif 000012